(57)【要約】【課題】  専用の冶具や精密ドライバー等を用いることなく、リテーナを本ロック位置から仮ロック位置に移動させる。【解決手段】  コネクタハウジング１０は、内部に端子収容室２６が設けられると共に、外周壁から端子収容室２６に連通する開口２０が設けられる。コネクタハウジング１０の開口２０には、端子収容室２６に対して略直交する方向にリテーナ３０が挿入される。リテーナ３０が仮ロック位置にあると、端子収容室２６への端子金具の挿抜が可能となる。リテーナ３０が本ロック位置にあると、端子収容室２６への端子金具の挿抜が不能となる。開口２０はコネクタハウジング１０のリテーナ挿入面２２からその側面１６ａまで回りこんで設けられている。そして、リテーナ３０が本ロック位置にある状態において、リテーナ３０の前端部３８がコネクタハウジング１０の側面１６ａに露出している。【選択図】  図１
2006100167.tif 000002
【特許請求の範囲】
【請求項１】
内部に端子収容室が設けられると共に、外周壁から前記端子収容室に連通する開口が設けられたコネクタハウジングと、
そのコネクタハウジングの開口から前記端子収容室に対して略直交する方向に挿入され、前記端子収容室への端子金具の挿抜を可能とする第１の位置と、前記端子収容室への端子金具の挿抜を不能とする第２の位置とに切替えられるリテーナを備え、
前記開口はコネクタハウジングのリテーナ挿入面からその両側面まで回りこんで設けられており、
リテーナが第２の位置に切替えられた状態において、リテーナの前端部がコネクタハウジングの前記両側面に露出していることを特徴とする電気コネクタ用ハウジング。
【請求項２】
リテーナの端子金具挿入方向の寸法が、コネクタハウジング内に収容される挿入端部よりコネクタハウジングの表面に露出する前端部の方が大きく形成されていることを特徴とする請求項１に記載の電気コネクタ用ハウジング。
【請求項３】
リテーナが第２の位置に切替えられた状態では、コネクタハウジングの開口端面とリテーナの前端部との間に隙間が実質的に存在しないことを特徴とする請求項１又は２に記載の電気コネクタ用ハウジング。
【発明の詳細な説明】
【技術分野】
【０００１】
本発明は、ワイヤーハーネス等の接続に用いられる電気コネクタ用ハウジングに関する。詳しくは、端子収容室に挿入される端子金具の後抜けをコネクタハウジングとは別体のリテーナで行うようにした電気コネクタ用ハウジングに関する。
【背景技術】
【０００２】
端子収容室に挿入される端子金具の後抜けをリテーナで行うようにした電気コネクタ用ハウジングが知られている（例えば、特許文献１）。図１８には従来の電気コネクタ用ハウジングが示されている。図１８に示すように、電気コネクタ用ハウジングは、コネクタハウジング３００と、コネクタハウジング３００とは別体のリテーナ３１０を備えている。コネクタハウジング３００の内部には複数の端子収容室３０２が設けられる。端子収容室３０２は、コネクタハウジング３００の上端面から下端面に向かって設けられている。コネクタハウジング３００の前面３０４には、各端子収容室３０２に連通する開口３０６が形成されている。
リテーナ３１０は、コネクタハウジング３００の開口３０６からコネクタハウジング３００の内部に、各端子収容室３０２に対して直交する方向に挿入される。リテーナ３１０には、コネクタハウジング３００の各端子収容室３０２に対応する挿通孔３１２が形成されている。各挿通孔３１２の内壁面には係止部（図示省略）が設けられている。
【０００３】
リテーナ３１０は第１の位置と第２の位置とに切換られる。リテーナ３１０が第１の位置にあると、コネクタハウジング３００の上端面からリテーナ３１４の挿通孔３１２を通って端子収容室３０２の底面まで、端子金具を挿し込むことができる。一方、リテーナ３１０が第２の位置にあると、端子収容室３０２内に挿し込まれた端子金具とリテーナの係止部が係合し、端子収容室３０２内から端子金具を抜取ることができない。従って、リテーナを第２の位置に移動させることで、端子金具の後抜けが防止される。
【特許文献１】特許２９２０１７１号公報
【発明の開示】
【発明が解決しようとする課題】
【０００４】
ところで、製造工場等において端子収容室３０２内に端子金具を挿し込む作業中に、端子金具を誤った端子収容室３０２に挿し込んでしまう場合がある。特に、コネクタハウジング３００に複数の端子収容室３０２が形成されている場合は、端子金具の挿し間違いが生じ易い。作業後の検査時に端子金具の挿し間違いが見つかると、誤った端子収容室３０２に挿し込まれている端子金具を抜き取らなければならない。また、工場出荷後においては、端子金具の交換修理時やリサイクル時等に、端子収容室３０２から端子金具を抜き取る必要が生じる。端子金具はリテーナ３１０によって後抜けが規制されているため、端子収容室３０２から端子金具を抜き取るためには、リテーナ３１０を第２の位置から第１の位置に移動させなければならない。
しかしながら、従来の電気コネクタ用ハウジングでは、リテーナ３１０が第２の位置にあると、コネクタハウジング３００の前面３０４とリテーナ３１０の前面３１４とが同一平面となる。このため、リテーナ３１０を第２の位置から第１の位置に移動させるためには、リテーナ３１０の前面３１４に設けた溝３１６に専用の冶具又は精密ドライバーの先端を差し込み、冶具又は精密ドライバーを操作してリテーナ３１０を移動させなければならなかった。
【０００５】
本発明は、上述した実情に鑑みなされたものであり、その目的は、専用の冶具や精密ドライバー等を用いることなく、リテーナを２の位置から第１の位置に移動させることができる電気コネクタ用ハウジングを提供することである。
【課題を解決するための手段】
【０００６】
本発明の電気コネクタ用ハウジングは、コネクタハウジングとリテーナを備える。コネクタハウジングは、内部に端子収容室が設けられており、その外周壁から端子収容室に連通する開口が設けられている。リテーナは、コネクタハウジングの開口から端子収容室に対して略直交する方向に挿入される。リテーナは、端子収容室への端子金具の挿抜を可能とする第１の位置と、端子収容室への端子金具の挿抜を不能とする第２の位置とに切替えられる。コネクタハウジングに設けられた開口は、コネクタハウジングのリテーナ挿入面からその両側面まで回りこんで設けられる。そして、リテーナが第２の位置に切替えられた状態においても、リテーナの前端部がコネクタハウジングの両側面に露出していることを特徴とする。
この電気コネクタ用ハウジングでは、コネクタハウジングの開口がリテーナ挿入面からその両側面にまで回り込んで設けられている。このため、リテーナの一部がコネクタハウジングの両側面から常に露出し、リテーナが第２の位置に切替えられた状態であっても、コネクタハウジングの両側面にリテーナの前端部が露出する。従って、作業者はコネクタハウジングの両側面に露出しているリテーナの前端部を側方から指でつかんで、リテーナを第２の位置から第１の位置に移動させることができる。
【０００７】
上記電気コネクタ用ハウジングでは、リテーナの端子金具挿入方向の寸法が、コネクタハウジング内に収容される挿入端部よりコネクタハウジングの表面に露出する前端部の方が大きく形成されていることが好ましい。このような構成によると、作業者の指でつかまれるリテーナの前端部が大きく形成されているため、リテーナを移動させるときの作業性と操作性を向上することができる。
【０００８】
また、上記電気コネクタ用ハウジングでは、リテーナが第２の位置に切替えられた状態では、コネクタハウジングの開口端面とリテーナの前端部との間に隙間が実質的に存在しないことが好ましい。このような構成によると、コネクタハウジング内へのゴミ等の侵入を防止することができる。
【発明を実施するための最良の形態】
【０００９】
以下、本発明を具現化した一実施形態について図面を参照して説明する。図１は本実施形態に係る電気コネクタ用ハウジング５０（以下、ハウジング５０という）の分解斜視図であり、図２はハウジング５０の斜視図であり、図３はハウジング５０と雄ハウジング６０とを併せて示す図である。図１〜３に示すように、ハウジング５０は雌ハウジングであって、図３に示す雄ハウジング６０内に挿し込まれるようになっている。
【００１０】
ハウジング５０は、コネクタハウジング１０とリテーナ３０によって構成される。コネクタハウジング１０は合成樹脂で一体に成形されている。コネクタハウジング１０の内部には、前後方向（前面２２から後面に向かう方向）及び左右方向（側壁１６ａから他方の側壁１６ｂに向かう方向）に複数の端子収容室２６，２７が並設されている。コネクタハウジング１０の前面２２側には横断面積の小さい端子収容室２６が配され、後面側には横断面積の大きい端子収容室２７が配されている。端子収容室２６には線径の小さいワイヤーハーネスの端子金具が挿し込まれ、端子収容室２７には線径の大きいワイヤーハーネスの端子金具が挿し込まれる。
【００１１】
端子収容室２６は、コネクタハウジング１０の上端面（端子金具挿入面）から下端面に向かって伸びている。端子収容室２６の上端は開放され、その下端にはストッパ１３ｂが設けられている（図８参照）。ストッパ１３ｂは、端子金具７０の前方への抜けを規制している。ストッパ１３ｂと端子収容室２６の壁面との間に形成される開口１３ａには、雄ハウジング６０内に突設された雄端子が挿し込まれるようになっている。
図８に示すように、端子収容室２６の下端近傍の内壁面には可撓係止腕１５が設けられている。可撓係止腕１５は、後述する端子金具７０の第１係止片８０と係合する。
なお、端子収容室２７も、端子収容室２６と同様に構成されている。
【００１２】
コネクタハウジング１０の前面２２には開口２０が設けられている。開口２０は、コネクタハウジング１０の上端面と下端面の略中間に設けられている。開口２０は、複数の端子収容室２６，２７を横切るように、前面２２側から後面側に向かって略直交する方向に設けられている。開口２０によって、各端子収容室２６，２７とコネクタハウジング１０外とが連通する。この連通空間がリテーナ３０を収容する収容空間となっている。
開口２０は、前面２２からその両側壁１６ａ、１６ｂに回り込んで設けられている。すなわち、コネクタハウジング１０の側壁１６ａ，１６ｂは、開口２０に対応する部位において、その一部（前面２２側）が切欠かれている。従って、開口２０の左右両端面２０ａ，２０ｂはコネクタハウジング１０の両側面に位置している。
また、開口２０に対応する部位において、側壁１６ａ，１６ｂの内壁面１７ａ，１７ｂには、リテーナ３０を係止する係止突部１９ａ，１９ｂが設けられている（図４〜７参照）。係止突部１９ａはコネクタハウジング１０の前面２２側に設けられ、係止突部１９ｂはコネクタハウジング１０の後面側に設けられている。
また、図８に良く示されるように、開口２０の前面２２側は、後面側と比較してコネクタハウジング１０の上下方向に大きく形成されている。
【００１３】
さらに、コネクタハウジング１０の前面２２には、雄ハウジング６０への誤挿入を防止するための溝２４が形成されている。コネクタハウジング１０の後面には、雄ハウジング６０に対してハウジング５０をロックするロッキングアーム１４が設けられている。
【００１４】
リテーナ３０は、合成樹脂で一体に成形され、コネクタハウジング１０の開口２０に挿入される。リテーナ３０は開口２０に対応する形状を有している。すなわち、リテーナ３０の前端部３８は、リテーナ３０の挿入端部４０側より上下方向に大きく形成されている。また、リテーナ３０の前端部３８は、リテーナ３０の挿入端部４０側よりコネクタハウジング１０の側壁１６ａ，１６ｂの分だけ左右方向に大きく形成されている。さらに、リテーナ３０は開口２０に対応する形状を有しているため、リテーナ３０を開口２０に挿入する際は、リテーナ３０の側面３４ａ，３４ｂがコネクタハウジング１０の側壁１６ａ，１６ｂの内壁面１７ａ，１７ｂに摺接する。
【００１５】
リテーナ３０は、その外郭を形成する枠体を隔壁４１で区画することで、コネクタハウジング１０の端子収容室２６に対応する挿通孔４２を備えている。各挿通孔４２の内壁面には係止部３１が設けられている（図８参照）。係止部３１は、後述する端子金具７０の第２係止片７８と係合する。
【００１６】
リテーナ３０の両側面３４ａ、３４ｂには、コネクタハウジング１０の内壁面１７ａ，１７ｂに設けられた係止突部１９ａ，１９ｂと係合する係止部３２ａ，３２ｂが設けられている（図４〜図７参照）。係止部３２ａはリテーナ３０の前端部３８側に設けられ、係止部３２ｂはリテーナ３０の挿入端部４０側に設けられている。
なお、リテーナ３０の前端部３８の前面にも雄ハウジング６０への誤挿入を防止するための溝３６が形成されている。
【００１７】
図３に示すように、雄ハウジング６０は上端が開放された方形容器状に形成されている。雄ハウジング６０の前方内壁面には、コネクタハウジング５０の溝２４及びリテーナ３０の溝３６に対応した突出壁６２が設けられている。雄ハウジング６０の後方内壁面には、ハウジング５０のロッキングアーム１４と係合する係止突起６６が設けられている。係止突起６６の両側には、ハウジング５０を案内する突出壁６４ａ，６４ｂが設けられている。また、雄ハウジング６０の底面には雄端子（図示省略）が立設されている。
この雄ハウジング６０内にハウジング５０を挿し込むと、ハウジング５０のロッキングアーム１４が係止突起６６と係合し、雄ハウジング６０内にハウジング５０が保持される。この状態では、雄ハウジング６０に立設された雄端子は、ハウジング５０の下方からハウジング５０内に挿通し、ハウジング５０内に収容された端子金具７０と電気的に接続する。
【００１８】
図９には端子収容室２６に挿し込まれる端子金具７０の斜視図が示されている。図９に示すように、端子金具７０の一端７４にはワイヤーハーネス７２が固定される。端子金具７０の他端８４には挿通孔８２が形成される。挿通孔８２には雄ハウジング６０の雄端子が挿し込まれる。端子金具７０の他端８４の外周面には第１係止片８０と第２係止片７８が設けられている。なお、端子収容室２７に挿し込まれる端子金具も端子金具７０と同様に構成されている。
【００１９】
次に、リテーナ３０の使用方法と作用について説明する。コネクタハウジング１０に端子金具７０を挿し込むためには、コネクタハウジング１０の開口２０にリテーナ３０を挿入し、リテーナ３０を仮ロック位置に係止する。次いで、コネクタハウジング１０の上方から端子金具７０を端子収容室２６内に挿し込み、しかる後、リテーナ３０を本ロック位置に移動させる。
【００２０】
図４はリテーナ３０が仮ロック位置に係止されたときのコネクタハウジング１０とリテーナ３０の状態を示している。図４に示すように、リテーナ３０が仮ロック位置に係止された状態では、コネクタハウジング１０の前面２２側の係止突部１９ａがリテーナ３０の凹部３５ｂに係合している（図７参考）。これにより、リテーナ３０の前後方向の移動が規制されている。
図１０には、リテーナ３０が仮ロック位置に係止されたときの端子収容室２６とリテーナ３０との関係が模式的に示されている。図１０に示すように、リテーナ３０が仮ロック位置に係止されていると、リテーナ３０の係止部３１が端子金具７０の挿入経路から退避した位置にある。このため、端子収容室２６の上端からリテーナ３０の挿通孔４２を通って端子収容室２６の下端まで、端子金具７０を挿し込むことができる。端子金具７０を端子収容室２６の下端まで挿し込むと、端子金具７０の第１係止片８０の後端が可撓係止腕１５と係合する。これによって、端子金具７０の後抜けが規制される（いわゆる、１次係止）。
【００２１】
図５はリテーナ３０が本ロック位置に係止されたときのコネクタハウジング１０とリテーナ３０の状態を示している。また、図６，７はリテーナ３０が本ロック位置に係止されたときの係止突部１９ａ，１９ｂと係止部３２ａ，３２ｂの関係を示している。
図５に示すように、リテーナ３０が本ロック位置に係止されると、コネクタハウジング１０の係止突部１９ａがリテーナ３０の係止部３２ａと係合し（図７の状態）、コネクタハウジング１０の係止突部１９ｂがリテーナ３０の後端に形成された凹部３３ｂと係合する（図６の状態）。従って、係止突部１９ａと係止部３２ａとの係合によってリテーナ３０の前方への移動が規制され、係止突部１９ｂと凹部３３ｂとの係合によってリテーナ３０の後方への移動が規制されている。
図１１には、リテーナ３０が本ロック位置に係止されたときの端子収容室２６とリテーナ３０との関係が模式的に示されている。図１１に示すように、リテーナ３０が本ロック位置に係止されると、リテーナ３０の係止部３１は端子金具７０の挿入経路上に位置する。従って、端子収容室２６に端子金具７０が挿し込まれていると、リテーナ３０の係止部３１が端子金具７０の第２係止片７８の後端と係合する。これによって、端子金具７０の後抜けがさらに規制される（いわゆる、２次係止）。一方、端子収容室２６に端子金具７０が挿し込まれていないと、リテーナ３０の係止部３１が端子金具７０の端子収容室２６内への挿し込みを規制する。
【００２２】
なお、図２から明らかなように、リテーナ３０が本ロック位置に係止されたときは、コネクタハウジング１０の開口２０全体をリテーナ３０の前端部３８が覆い、開口２０の各端面２０ａ〜２０ｄとリテーナ３０の各端面３８ａ〜３８ｄとの間には隙間（すなわち、冶具や精密ドライバー等を挿し込むための隙間）が形成されない。このため、コネクタハウジング１０とリテーナ３０との間からハウジング５０内へゴミが侵入すること等が防止される。また、コネクタハウジング１０の前面２２とリテーナ３０の前端部３８の前面とは同一平面となり、コネクタハウジング１０の両側面と前端部３８の両側面も同一平面となっている。
【００２３】
上述した説明から明らかなように、本実施形態のハウジング５０は、リテーナ３０が本ロック位置に係止された状態であっても、リテーナ３０の前端部３８がコネクタハウジング１０の両側面から露出している。このため、作業者は指先でリテーナ３０の前端部３８を掴み、リテーナ３０を本ロック位置から仮ロック位置に移動させることができる。このため、専用の冶具や精密ドライバー等の用具を不要とすることができる。
また、リテーナ３０の移動に精密ドライバーを用いる必要がないため、従来技術のようにリテーナ移動時にリテーナのドライバー差込部位が変形してしまうといった問題も生じない。さらに、リテーナ３０の前端部３８が上下方向に大きく形成されているため、作業者はリテーナ３０の前端部３８をつかみ易く、その作業性と操作性が向上している。
さらに、コネクタハウジング１０の前面側と後面側の２箇所に係止突部１９ａ，１９ｂが形成され、これに対応してリテーナ３０の前端部３８側と挿入端部４０側の２箇所に係止部３２ａ，３２ｂが形成される。このため、リテーナ３０は前端部３８側と挿入端部４０側の２箇所でコネクタハウジング１０に保持される。従って、リテーナ３０に対してリテーナ３０の挿入方向と垂直な方向（すなわち、ハウジング１０の左右方向や上下方向）に力が作用しても、リテーナ３０がコネクタハウジング１０に対して傾いた状態となることが防止される。
また、リテーナ３０が仮ロック位置にあるとコネクタハウジング１０の係止突部１９ａがリテーナ３０の凹部３５ｂに係合し（図４参照）、リテーナ３０が仮ロック位置から本ロック位置に移動する際はハウジング１０の係止突部１９ａがリテーナ３０の係止部３２ａを乗り越えて前方に移動する（図５，７参照）。したがって、リテーナ３０を仮ロック位置まで挿入したことは、係止突部１９ａが凹部３５ｂに係合する感触で作業者は容易に認識することができる。また、リテーナ３０が仮ロック位置から本ロック位置（又は本ロック位置から仮ロック位置）に移動したことは、係止突部１９ａが係止部３２ａを乗り越える感触によって作業者は容易に認識することができる。これらによって、リテーナ３０の操作性や操作感を向上することができる。
【００２４】
なお、上述した実施形態では、リテーナ３０の係止部３２ａ，３２ｂをリテーナ３０の前端部３８側と挿入端部４０側に離して配置し、それに合わせてコネクタハウジング１０の係止突部１９ａ，１９ｂも離して配置していた。しかしながら、リテーナの係止部（コネクタハウジングの係止突部）を前端部側又は挿入端部側のいずれか１箇所に設けるようにしてもよい。例えば、リテーナの挿入端部側にのみ係止部を配置することができ、あるいは、リテーナの前端部側にのみ係止部を配置することもできる。
係止部及び係止突部をリテーナ１３０の挿入端部側にのみ配する場合は、例えば、図１２〜１４に示すように、リテーナ１３０の挿入端部側に２個の係止部１３２ａ，１３２ｂを連設し、コネクタハウジング１１０の内壁面１１７ｂにも２個の係止突部１１９ａ，１１９ｂを連設する。リテーナ１３０が本ロック位置に係止されると、コネクタハウジング１１０の係止突部１１９ａ，１１９ｂの間にリテーナ１３０の係止部１３２ａが係合する（図１４の状態）。リテーナ１３０が仮ロック位置に係止されると、コネクタハウジング１１０の係止突部１１９ａ，１１９ｂの間にリテーナ１３０の係止部１３２ｂが係合することとなる。
係止部及び係止突部をリテーナ２３０の前端部側にのみ配した場合は、例えば、図１５〜１７に示すように、リテーナ２３０の前端部側に２個の係止部２３５ａ，２３５ｂを連設する。コネクタハウジング２１０には、その側壁の前端部に１個の係止突部２１９を設け、その係止突部２１９に隣接して凹部２１８ｂを設ける。リテーナ２３０が本ロック位置に係止されると、コネクタハウジング２１０の凹部２１８ｂにリテーナ２３０の係止部２３５ａ，２３５ｂが係合する（図１７の状態）。リテーナ２３０が仮ロック位置に係止されると、リテーナ２３０の係止部２３５ａ，２３５ｂの間にコネクタハウジング１１０の係止突部２１９が係合することとなる。
【００２５】
以上、本発明のいくつかの実施形態について詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２６】
【図１】本発明の一実施形態に係る電気コネクタ用ハウジングの分解斜視図。
【図２】本実施形態に係る電気コネクタ用ハウジングの斜視図。
【図３】本実施形態の電気コネクタ用ハウジングと、その電気コネクタ用ハウジングが挿し込まれる雌ハウジング６０とを併せて示す斜視図。
【図４】リテーナが仮ロック位置に係止されたときのコネクタハウジングとリテーナの状態を示す横断面図。
【図５】リテーナが本ロック位置に係止されたときのコネクタハウジングとリテーナの状態を示す横断面図。
【図６】リテーナが本ロック位置に係止されたときのリテーナの挿入端部側の係止機構の状態を示す図。
【図７】リテーナが本ロック位置に係止されたときのリテーナの前端部側の係止機構の状態を示す図。
【図８】図５のVIII−VIII線で切断したときのコネクタハウジングの断面とリテーナの断面とを分離して示す図である。
【図９】端子金具の斜視図。
【図１０】リテーナが仮ロック位置に係止されたときの端子収容室とリテーナの挿通孔との関係を模式的に示す図。
【図１１】リテーナが本ロック位置に係止されたときの端子収容室とリテーナの挿通孔との関係を模式的に示す図。
【図１２】本発明の変形例に係る電気コネクタ用ハウジングにおいて、リテーナが仮ロック位置に係止されたときのコネクタハウジングとリテーナの状態を示す横断面図。
【図１３】図１２に示す実施形態において、リテーナが本ロック位置に係止されたときのコネクタハウジングとリテーナの状態を示す横断面図。
【図１４】図１２に示す実施形態において、リテーナが本ロック位置に係止されたときのリテーナの係止機構の状態を示す図。
【図１５】本発明の他の変形例に係る電気コネクタ用ハウジングにおいて、リテーナが仮ロック位置に係止されたときのコネクタハウジングとリテーナの状態を示す横断面図。
【図１６】図１５に示す実施形態において、リテーナが本ロック位置に係止されたときのコネクタハウジングとリテーナの状態を示す横断面図。
【図１７】図１５に示す実施形態において、リテーナが本ロック位置に係止されたときのリテーナの係止機構の状態を示す図。
【図１８】従来技術に係る電気コネクタ用ハウジングの斜視図。
【符号の説明】
【００２７】
１０・・コネクタハウジング
１６ａ，１６ｂ・・側壁
１９ａ，１９ｂ・・係止突部
２０・・開口
２２・・前面
２６，２７・・端子収容室
３０・・リテーナ
３８・・前端部
４０・・挿入端部
４２・・挿通孔
７０・・端子金具
７８・・第１係止片
８０・・第２係止片
【図１】
2006100167.tif 000003
【図２】
2006100167.tif 000004
【図３】
2006100167.tif 000005
【図４】
2006100167.tif 000006
【図５】
2006100167.tif 000007
【図６】
2006100167.tif 000008
【図７】
2006100167.tif 000009
【図８】
2006100167.tif 000010
【図９】
2006100167.tif 000011
【図１０】
2006100167.tif 000012
【図１１】
2006100167.tif 000013
【図１２】
2006100167.tif 000014
【図１３】
2006100167.tif 000015
【図１４】
2006100167.tif 000016
【図１５】
2006100167.tif 000017
【図１６】
2006100167.tif 000018
【図１７】
2006100167.tif 000019
【図１８】
2006100167.tif 000020